(57)【要約】【課題】キッチンでの調理などの作業時に、昇降棚を下方に引き出した状態で被収納物を容易に出し入れできて使い勝手がよく、昇降棚が作業の邪魔になることのない昇降棚付き収納庫を提供する。【解決手段】昇降棚付き収納庫はキッチンの上部に配置されている。この収納庫は、下方が開口したケース４１と昇降可能にこのケースに取付けられて収納引き出し可能な昇降棚４０とを有する昇降棚部３を備えている。昇降棚４０は、キッチンのシンク側と前方側とが開放されるように底板４２，側板４３および背板４４を有している。【選択図】    図３
2004208938.tif 000002
【特許請求の範囲】
【請求項１】
キッチンの上部に配置される昇降棚付き収納庫であって、
この昇降棚付き収納庫は、下方が開口したケースと昇降可能にこのケースに取付けられて収納引き出し可能な昇降棚とを有する昇降棚部を備え、
前記昇降棚は、前記キッチンのシンク側と前方側とが少なくとも開放されるように底板，側板および背板を有していることを特徴とする昇降棚付き収納庫。
【請求項２】
請求項１に記載の昇降棚付き収納庫であって、
前記昇降棚には多数の貫通孔が規則正しく並んで穿設され、
被収納物を支持するための支持部材を任意の位置の前記貫通孔に係合離脱可能に係止させるようにしたことを特徴とする昇降棚付き収納庫。
【請求項３】
請求項１に記載の昇降棚付き収納庫であって、
前記昇降棚を線材により構成し、被収納物を支持するための支持部材を任意の位置の前記線材に係合離脱可能に係止させるようにしたことを特徴とする昇降棚付き収納庫。
【請求項４】
請求項１，２または３に記載の昇降棚付き収納庫であって、前記昇降棚部は、前記キッチンの端部に対応する位置に配置されたことを特徴とする昇降棚付き収納庫。
【請求項５】
請求項１ないし４のいずれかの項に記載の昇降棚付き収納庫は、背面および側面に耐水性の壁パネルが設けられた前記キッチンに設置されていることを特徴とする昇降棚付き収納庫。
【請求項６】
請求項５に記載の昇降棚付き収納庫であって、前記壁パネルは金属製であることを特徴とする昇降棚付き収納庫。
【発明の詳細な説明】
【０００１】
【発明の属する技術分野】
本発明は、システムキッチン（複合厨房家具）などの上部に配置される昇降棚付き収納庫に関する。
【０００２】
【従来の技術】
台所の上方空間を有効に活用するために、システムキッチンなどの上部に吊戸棚や収納庫を配置する場合がある。ところが、この吊戸棚や収納庫は高い位置にあるので、椅子などを使って被収納物の出し入れをすることが多い。
そこで、昇降動作可能な昇降棚を吊戸棚などに設け、この昇降棚を下方に引き出し可能にした収納庫が知られている。たとえば、特許文献１（実開昭５７−１２０４５号公報）には、正面戸棚部と、この正面戸棚部の背部に設けられ前方が開口した収納箱とからなり、且つこの収納箱を下方に引き出し自在となした吊戸棚が提案されている。
【０００３】
【特許文献１】
実開昭５７−１２０４５号公報（第１頁，第１図，第２図）
【０００４】
【発明が解決しようとする課題】
特許文献１に記載の吊戸棚は、椅子などに頼らなくても被収納物を吊戸棚の奥の方に容易に出し入れすることを目的としており、収納箱は、前方のみが開口した矩形状をなしている。
ところで、人が流し台（キッチン）で調理などを行うときには、シンクの前に立って作業をすることが多い。そこで、前記収納箱をシンクの上部に配置すると、収納箱を使用して作業をするときにはこれがシンクのところに引き出されるので都合がよいが、収納箱を使用しないときにこれを引き出したままの状態にしておくと、調理作業の邪魔になってしまう。
【０００５】
これを防止するために、収納箱をシンクから離れた横方向の上方位置に配置して下方に引き出すようにすると、この収納箱は、下方に引き出されたままでも流し台での調理作業の邪魔にはならない。
ところが、収納箱は、前方のみが開口し四方が囲まれているので、シンクの前方に立ったままで収納箱まで手を伸ばして被収納物を出し入れするのは難しい。そのため、収納箱の前方までわざわざ移動して被収納物の出し入れをしなければならず、使い勝手がよくなかった。
また、従来は、被収納物が濡れている場合に備えて、昇降動作可能な収納箱または昇降棚に乾燥装置を設けて乾燥させる場合もあったが、乾燥装置が高価であった。
【０００６】
本発明は、このような課題を解決するためになされたもので、キッチンでの調理などの作業時に、昇降棚を下方に引き出した状態で被収納物を容易に出し入れできて使い勝手がよく、昇降棚が作業の邪魔になることのない昇降棚付き収納庫を提供することを目的とする。
【０００７】
【課題を解決するための手段】
上述の目的を達成するため、本発明にかかる昇降棚付き収納庫は、キッチンの上部に配置される昇降棚付き収納庫であって、この昇降棚付き収納庫は、下方が開口したケースと昇降可能にこのケースに取付けられて収納引き出し可能な昇降棚とを有する昇降棚部を備え、前記昇降棚は、前記キッチンのシンク側と前方側とが少なくとも開放されるように底板，側板および背板を有している。
前記昇降棚には多数の貫通孔が規則正しく並んで穿設され、被収納物を支持するための支持部材を任意の位置の前記貫通孔に係合離脱可能に係止させるように構成するのが好ましい。
これとは別に、前記昇降棚を線材により構成し、被収納物を支持するための支持部材を任意の位置の前記線材に係合離脱可能に係止させるようにしてもよい。前記昇降棚部は、前記キッチンの端部に対応する位置に配置されているのが好ましい。
前記昇降棚付き収納庫は、背面および側面に耐水性の壁パネルが設けられた前記キッチンに設置されているのが好ましい。なお、前記壁パネルは金属製であるのが好ましい。
【０００８】
【発明の実施の形態】
以下、本発明にかかる実施の形態の一例を、図１ないし図８を参照して説明する。
図１は、昇降棚付き収納庫とシステムキッチンの正面図、図２は図１の平面図、図３は昇降棚部の斜視図、図４，図５は、それぞれ昇降棚の正面図，側面図である。
図６は、被収納物を収納した状態の昇降棚の斜視図、図７は、濡れた被収納物を収納した場合の昇降棚部の斜視図、図８は、本実施形態の変形例にかかる昇降棚の斜視図である。
なお、説明の便宜上、図１の左，右，上，下，紙面前方，紙面後方を、それぞれ昇降棚付き収納庫とシステムキッチンの左方，右方，上方，下方，前方，後方として説明する。
【０００９】
図１ないし図８に示すように、本実施形態では、台所に設置されるキッチンの一種であるシステムキッチン（複合厨房家具）２の上部に昇降棚付き収納庫（以下、収納庫と記載）１が配置された場合を例にとって説明する。なお、収納庫１は、キッチンとしての流し台の上部に配置された場合であってもよい。
収納庫１は、端部（ここでは、右側端部）に昇降棚部３を有してシステムキッチン２の上部に配置されており、昇降棚部３は、システムキッチン２の端部（ここでは、右側端部）に対応する位置に配置されている。
システムキッチン２と収納庫１の右側には、冷蔵庫４が設置されている。収納庫１は、背面および側面に耐水性の壁パネル５が設けられたシステムキッチン２に設置されている。システムキッチン２と収納庫１の右側面と冷蔵庫４との間には、壁パネル５が縦方向（床面と垂直方向）に配置されている。
【００１０】
システムキッチン２は、床面上に設置されたキャビネット１０を有している。キャビネット１０には、各種形状，構造の複数の引き出し（引き出し１１，１２，１３など）が、引き出し収納自在に設けられている。
キャビネット１０は、左方から右方に順次並設された、コンロキャビネット１４，一方の調理台キャビネット１５，シンクキャビネット１６および他方の調理台キャビネット１７と、キャビネット１４〜１７の上部を覆って取付けられたワークトップ１８とにより構成されている。
コンロキャビネット１４にはコンロ１９が組み込まれている。一方の調理台キャビネット１２の上部のワークトップ１８は調理台２０になっている。シンクキャビネット１６の上部のワークトップ１８には、シンク２１が形成されている。他方の調理台キャビネット１７には食器洗い乾燥機２２が取付けられ、上部のワークトップ１８は調理台２０になっている。
各キャビネット１４〜１７の内方の左右には、側板２３が縦方向に設けられ、側板２３もキャビネット１０の一部を構成している。隣合うキャビネット１４〜１７同士の間の側板２３は仕切り壁の機能を有しており、コンロキャビネット１４の左側の側板２３は、外壁板としての機能を有している。
他方の調理台キャビネット１７の右側面には、壁パネル５が配置されて側板の機能を兼ねているので側板は別途設けられていない。なお、調理台キャビネット１７の右側面に壁パネル５を設けない場合には、調理台キャビネット１７の右側面にも、キャビネット１０の一部を構成して外壁板としての機能を有する側板を設けることになる。
【００１１】
このように、コンロキャビネット１４に、コンロ１９，複数の引き出しなどが設けられて、単体としての厨房家具が構成されている。これと同様に、他のキャビネット１５，１６もそれぞれシンク２１や引き出しなどを有し、キャビネット１７も食器洗い乾燥機２２と引き出しを有しているので、システムキッチン２は、単体としての厨房家具が複合した複合厨房家具を構成している。
各キャビネット１４〜１７にそれぞれ設けられた引き出しのうち、キャビネット１４〜１７の最下段に配置された引き出し（引き出し１１など）は、蹴込み２４が形成され内部の収納スペースを広くするように蹴込み２４の奥も含んだ構成を有する足下収納引き出しである。
【００１２】
システムキッチン２には、上方に延びた立ち上がり部２５が設けられている。立ち上がり部２５は、システムキッチン２の左側に位置するコンロキャビネット１４の上部に配置されている。立ち上がり部２５は、コンロ１９の上方に配置されたレンジフード２６を有している。
【００１３】
収納庫１は、レンジフード２６から右方向に水平に延びて配置された吊戸棚になっている。収納庫１は、台所の壁および天井の一方または両方に、取付け具（図示せず）を介して支持されている。収納庫１は、矩形状の収納部本体３０と、収納部本体３０に設けられた一つまたは複数（本実施形態では、三つ）の開閉自在な扉３１とを有している。
収納部本体３０内には被収納物を収納可能になっており、内部に仕切り板が設けられた場合もある。収納部本体３０の下面には、点灯可能な照明具３２が設けられている。
【００１４】
昇降棚部３は、収納部本体３０の右側端部に取付けられて、一つのユニットを構成している。昇降棚部３がユニットになっているので、収納部本体３０に昇降棚部３を容易に組み込むことができる。
本実施形態では、昇降棚部３が、収納庫１の右方の端部に配設され、システムキッチン２の端部（ここでは、右側端部）に対応する位置に配置されているが、収納庫の端部以外の位置に昇降棚部３を配設してもよい。
たとえば、図１において、昇降棚部３を収納庫１の右側端部に設ける代わりに、右側端部には扉３１とその収納部を設け、図示する三つの扉３１のうちのいずれかの扉３１とその収納部の位置に、昇降棚部３を設けてもよい。
また、システムキッチンと昇降棚付き収納庫が、本実施形態のものとは対称の構成で、立ち上がり部が右側に配置されている場合には、収納庫１は、システムキッチンの上部に配置され、且つ昇降棚部３を収納庫１の左側端部に配設するのが好ましい。
【００１５】
昇降棚部３は、下方が開口したケース４１と、昇降可能にケース４１に取付けられて収納引き出し可能な昇降棚４０とを備えている。昇降棚４０内には、被収納物４５を出し入れ可能に収納できる。
収納部本体３０とケース４０の後面は、システムキッチン２のキャビネット１０の後面および立ち上がり部２５の後面と面一になっている。また、ケース４１の上面と収納部本体３０の上面とレンジフード２６の上面は、水平方向に面一になっている。
したがって、システムキッチン２と収納庫１を、台所の壁面や天井面などに対して隙間がないように容易に設置することができる。
【００１６】
昇降棚４０は、システムキッチン２のシンク２１側と前方側とが少なくとも開放されるように、底板４２，側板４３および背板４４を有している。昇降棚４０は、手動で把手５４を操作して、矢印Ｅに示すように昇降させることにより、ケース４１に対して収納引き出し可能である。また、昇降棚４０は、平面視でシステムキッチン２の一方端（ここでは、右端）に位置する。
したがって、システムキッチン２での調理などの作業時に、昇降棚４０を下方に引き出した状態で被収納物を容易に出し入れできて使い勝手がよく、このとき昇降棚４０は作業の邪魔にならないので、作業能率が向上する。
なお、昇降棚４０には天井板は設けられていないが、天井板がある場合でもよい。また、昇降動作用のモータなどを有する駆動部を設け、自動的に昇降棚４０を昇降させて収納引き出し可能にしてもよい。
【００１７】
収納庫１の前方表面は、平面視でシステムキッチン２の前方表面より後方に下がった位置に配置されている。しかも、昇降棚部３は、収納部本体３０の右側端部に取付けられている。
その結果、昇降棚４０は、下方に引き出されると、システムキッチン２の一方端（ここでは、右端）の奥（すなわち、他方の調理台キャビネット１７の調理台２０の後方）に位置する（図２）。したがって、人がシステムキッチン２で調理などの作業を行うとき、昇降棚４０が下方に引き出されても作業の邪魔にはならない。
【００１８】
昇降棚４０の一方側（側板４３が設けられていない側、すなわち左側）には、棒材４９が側面視で斜めに取付けられている。棒材４９を設けたので、昇降棚４０の昇降時などに、収納中の被収納物４５が左側に飛び出たり落下したりするのを防止することができる。
側板４３の外方（ここでは、右側外方）には、まな板４５ｄを収納するために、線材で構成されたまな板用支持部材４７ａが固定されている。まな板用支持部材４７ａを昇降棚４０の外方に配置したので、側板４３が仕切り板の機能を発揮して、濡れたままのまな板４５ｄが他の被収納物４５と直接接触するのを防止することができる。
【００１９】
昇降棚４０には、多数の貫通孔４６が規則正しく並んで穿設されている。被収納物４５を支持するための支持部材４７は、任意の位置の貫通孔４６に係合離脱可能に係止されている。貫通孔４６は、縦方向と水平方向に規則正しく並んで形成されているが、斜め方向に規則正しく並んだ場合でもよい。
被収納物４５の種類としては、調理中に頻繁に使用されるものたとえば、キッチンペーパー４５ａ，ふきん４５ｂ，ラップ４５ｃ，まな板４５ｄなどを昇降棚４０に収納すれば便利であるが、これに限られず任意のものを収納できる。
【００２０】
支持部材４７は、これら各種の被収納物４５を支持しやすいように、線材や板材などにより所定形状に形成されている。支持部材４７は、任意の位置の貫通孔４６に係止可能なので、ユーザーの使い勝手に合わせて、支持部材４７の位置を自在に変更することができる。
支持部材４７の位置を変更できるので、被収納物は、昇降棚４０内の所望の位置の支持部材４７に支持される。たとえば、キッチンペーパー４５ａを、昇降棚４０内で左側（すなわち、シンク２１側）で、且つ、中心軸線を前後方向に向けて収納しておくのが好ましい。
このようにすれば、左側が開放した昇降棚４０内のキッチンペーパー４５ａを、矢印Ｂに示すように手前に（すなわち、シンク２１側に）引っ張ることができ、使い勝手がよい。
なお、本実施形態では、昇降棚４０を板材により構成しているが、図８に示す変形例では、昇降棚４０を線材４８により構成している。そして、被収納物４５を支持するための支持部材４７を、任意の位置の線材４８に係合離脱可能に係止している。なお、この変形例の昇降棚４０は、他の構成は本実施形態と同じであり、同じ作用効果を奏する。
【００２１】
図１ないし図８に示す昇降棚４０は、金属製のばね板５５により上方に付勢された状態で吊り下げられている。ばね板５５は、ケース４１に取付けられたロール部５６に巻き付け可能になっている。図示しないロック機構は、ロール部５６を非回転状態にロックする機能と、ロック解除して回動自在にする機能とを有している。
把手５４は、昇降棚４０の下部に固定された固定ハンドル５７と、手で握って動かすことができる可動ハンドル５８とにより構成されている。手で固定ハンドル５７を持った状態で可動ハンドル５８を握って下方に引っ張ると、ロック機構がロック解除してロール部５６を回動自在にする。可動ハンドル５８から手を離すと、ロック機構が動作し、ロール部５６をロックして非回転状態にする。
したがって、可動ハンドル５８を握って、ロック機構によるロックを解除している間は、昇降棚４０を自在に昇降させることができる。ばね板５５は、昇降棚４０を上方に引っ張る方向に付勢しているので、小さな力で昇降棚４０を容易に上昇させることができる。
【００２２】
昇降棚４０が所望の高さ位置に移動した状態で、可動ハンドル５８から手を離せば、ロック機構によりロール部５６がロックされて非回転状態になるので、昇降棚４０はその高さ位置で動くことなく位置決め保持される。したがって、昇降棚４０をケース４１に収納したり、下方端位置まで引き出したり、途中の任意の位置に停止させたりすることができる。
昇降棚４０をケース４１内に収納するときは、可動ハンドル５８を手で握った状態で昇降棚４０を上昇端位置まで移動させた後、可動ハンドル５８から手を離せば、ロック機構が動作してロール部５６をロックして非回転状態にする。その結果、昇降棚４０の全体がケース４１内に収納されて位置決め保持される。
【００２３】
耐水性の一枚の壁パネル５が、ケース４１の外側面とシステムキッチン２のキャビネット１０の外側面に、縦方向に設けられている。
この壁パネル５は、収納庫１およびシステムキッチン２と、冷蔵庫４との間を仕切っている。システムキッチン２の背面にも耐水性の壁パネル５が設けられている。
壁パネル５が耐水性を有しているので、昇降棚４０にまな板４５ｄやふきん４５ｂなどを濡れたままで収納して、水滴が壁パネル５に掛かっても問題は生じない。壁パネル５は金属製（好ましくは、ステンレス鋼製）なので、水滴に対して耐水性を有するとともに、かびなどが発生しにくく衛生的である。
【００２４】
昇降棚部３は、収納庫１の端部で且つシステムキッチン２の上部に配置されているので、昇降棚４０を下方に引き出した状態で、昇降棚４０は、シンク２１側（ここでは、左側）と前方側が大きく開放されている。
したがって、システムキッチン２で調理などの作業を行うときに、人がシンク２１の前や他方（右方）の調理台キャビネット１７の調理台２０の前など、システムキッチン２のどこに立っていても、昇降棚４０に手を伸ばして、被収納物４５を昇降棚４０に容易に出し入れすることができる。
【００２５】
また、収納棚４０を使用しないとき、これを下方に引き出したままにしておいても、昇降棚４０は、システムキッチン２の右端の奥に位置しているので、システムキッチン２での調理などの作業の邪魔にはならない。
したがって、たとえば、収納された濡れたまな板４５ｄなどが乾くまで昇降棚４０を引き出したままにしておき、これらが自然乾燥で乾いたのち、昇降棚４０をケース４１に収納してもよい。このようにすれば、従来のような高価な乾燥装置を設ける必要がない。
上述の実施形態および変形例にかかる収納庫１によれば、システムキッチン２での調理などの作業時に、昇降棚４０を下方に引き出した状態で被収納物４５を容易に出し入れできるので使い勝手がよく、昇降棚４０は作業の邪魔にならない。
【００２６】
なお、上述のように、昇降棚部３を、収納庫１の端部（たとえば、右側端部または左側端部）以外の位置（たとえば、図１に示す三つの扉３１のうちのいずれかの扉３１とその収納部の位置）に配設する場合がある。
この場合、昇降棚部３の間口寸法（たとえば、４５０ｍｍ）はシンク２１の間口寸法（たとえば、９００ｍｍ）よりかなり小さいので、昇降棚部３の平面視での位置を、シンク２１の左右方向中央より一方にずらせて配置すれば、人がシンク２１の前に立って調理などの作業を行うときに、昇降棚４０を下方に引き出した状態で被収納物４５を容易に出し入れできるので使い勝手がよく、昇降棚４０はそれほど作業の邪魔にはならない。
また、たとえば、シンク２１をシステムキッチンの右または左に寄せて配置するとともにシンク２１の上部に昇降棚部３を配置すると、濡れた被収納物を昇降棚４０に収納した場合でも水滴がシンク２１に直接落ちるため、ワークトップ１８が濡れなくて清潔に使用できる。
同様に、図１に示す収納部本体３０において符号Ｃ１またはＣ２で示す収納部はシンク２１の上部に位置しているので、これら収納部Ｃ１またはＣ２の位置に、この収納部に代えて昇降棚部３を配置した場合も、同様の効果が得られる。
【００２７】
以上、本発明の実施形態（変形例を含む）を説明したが、本発明は、上述の実施形態に限定されるものではなく、本発明の要旨の範囲で種々の変形，付加などが可能である。
なお、各図中同一符号は同一または相当部分を示す。
【００２８】
【発明の効果】
本発明にかかる昇降棚付き収納庫は、上述のように構成したので、キッチンでの調理などの作業時に、昇降棚を下方に引き出した状態で被収納物を容易に出し入れできるので使い勝手がよく、昇降棚が作業の邪魔になることはない。
【図面の簡単な説明】
【図１】図１ないし図８は本発明の実施形態の一例を示す図で、図１は、昇降棚付き収納庫とシステムキッチンの正面図である。
【図２】図１の平面図である。
【図３】昇降棚部の斜視図である。
【図４】昇降棚の正面図である。
【図５】昇降棚の側面図である。
【図６】被収納物を収納した状態の昇降棚の斜視図である。
【図７】濡れた被収納物を収納した場合の昇降棚部の斜視図である。
【図８】変形例にかかる昇降棚の斜視図である。
【符号の説明】
１        昇降棚付き収納庫
２        システムキッチン（キッチン）
３        昇降棚部
５        壁パネル
１０      キャビネット
２１      シンク
４０      昇降棚
４１      ケース
４２      底板
４３      側板
４４      背板
４５      被収納物
４５ａ    キッチンペーパー（被収納物）
４５ｂ    ふきん（被収納物）
４５ｃ    ラップ（被収納物）
４５ｄ    まな板（被収納物）
４６      貫通孔
４７      支持部材
４７ａ    まな板用支持部材（支持部材）
４８      線材
【図１】
2004208938.tif 000003
【図２】
2004208938.tif 000004
【図３】
2004208938.tif 000005
【図４】
2004208938.tif 000006
【図５】
2004208938.tif 000007
【図６】
2004208938.tif 000008
【図７】
2004208938.tif 000009
【図８】
2004208938.tif 000010